(57)【特許請求の範囲】
【請求項１】
本体キャビネットの前面を開閉する片開き式の外扉を備え、前記外扉に画成され、前面が透明パネルにより覆われた商品展示室を備えた自動販売機において、前記外扉の上部に装飾ユニットを着脱自在に取付け、当該装飾ユニットは少なくとも前記外扉の前面に位置して商品展示室まで延在する装飾部材を備え、前記装飾部材における商品展示室までの延在部分は商品展示室に施された彩色と同一の彩色が施されていることを特徴とする自動販売機。
【請求項２】
請求項１に記載の自動販売機において、外扉には立体のリボンを有し、装飾ユニットには前記リボンに連続する立体のリボン部材を備え、当該リボン部材は外扉のリボンに施された色彩と同一の色彩が施されていることを特徴とする自動販売機。
【請求項３】
請求項１に記載の自動販売機において、装飾ユニットは外扉の商品展示室まで延在する延在部を有するシート状の装飾部材、外扉の上部に着脱自在に取付けられるベース部材および押え部材からなり、前記ベース部材および押え部材により装飾部材を挟持してなることを特徴とする自動販売機。
【発明の詳細な説明】
【技術分野】
【０００１】
本発明は、自動販売機の上部に追加装備してその外観形状を変更可能な自動販売機に関する。
【背景技術】
【０００２】
この種の自動販売機として缶入り飲料，ペットボトル入り飲料等の商品を販売する一般的な自動販売機は断熱筐体としてなる本体キャビネットの前面に片開き式の外扉が設けられ、当該外扉には額縁状の窓を形成して商品展示室が形成されている。この商品展示室の前面は透明パネルで覆われて商品展示室に展示された複数の商品見本を外部から視認できるようにされている。このような自動販売機においては商品展示室を有する外扉の表面部分が自動販売機自身の存在感や宣伝効果に大きな役割を果たしている。このため、外扉における商品展示室の形状や外扉の表面に飲料容器を描くなどのデザインを施して他の自動販売機に対して際立つように工夫されている。しかしながら、自動販売機の標準的な外郭形状や寸法は規制されていることから他の自動販売機に対してインパクトを与えることができない。そこで、標準的な自動販売機に対して差別化を図るために外扉の上部にアーチ形部材を追加装備するようにして差別化を図るようにしたものが知られている（例えば、特許文献１）。
【先行技術文献】
【特許文献】
【０００３】
【特許文献１】特開平５−３２５００３号公報
【発明の概要】
【発明が解決しようとする課題】
【０００４】
ところで、この種の標準的な自動販売機においてはその外郭を角柱状に形成して運搬時や倉庫への保管時にその運搬効率や保管スペース効率を図るために積み重ねることができるように構成されている。一方、上記特許文献１に記載された自動販売機においては外扉の上部にアーチ形部材を有するために積み重ねることができないという課題を有する。また、設置場所によっては高さが規制され、また、土台が傾斜している場合には自動販売機を水平に設置するための寸法も必要であることから、実際に設置する段階において設置ができない羽目に陥るおそれがあるという課題を有する。
【０００５】
そこで、本発明は上記の点に鑑みなされたものであり、その目的は前記課題を解決し、標準的な自動販売機に大幅な変更を加えることなく存在感や宣伝効果を発揮することが可能な自動販売機を提供することにある。
【課題を解決するための手段】
【０００６】
上記目的を達成するために請求項１に係る発明は、本体キャビネットの前面を開閉する片開き式の外扉を備え、前記外扉に画成され、前面が透明パネルにより覆われた商品展示室を備えた自動販売機において、前記外扉の上部に装飾ユニットを着脱自在に取付け、当該装飾ユニットは少なくとも前記外扉の前面に位置して商品展示室まで延在する装飾部材を備え、前記装飾部材における商品展示室までの延在部分は商品展示室に施された彩色と同一の彩色が施されていることを特徴とする。
【０００８】
また、請求項２に係る発明は、請求項１に記載の自動販売機において、外扉には立体のリボンを有し、装飾ユニットには前記リボンに連続する立体のリボン部材を備え、当該リボン部材は外扉のリボンに施された色彩と同一の色彩が施されていることを特徴とする。
【０００９】
また、請求項３に係る発明は、請求項１に記載の自動販売機において、装飾ユニットは外扉の商品展示室まで延在する延在部を有するシート状の装飾部材、外扉の上部に着脱自在に取付けられるベース部材および押え部材からなり、前記ベース部材および押え部材により装飾部材を挟持してなることを特徴とする。
【発明の効果】
【００１０】
本発明の請求項１に係る発明は、本体キャビネットの前面を開閉する片開き式の外扉を備え、前記外扉に画成され、前面が透明パネルにより覆われた商品展示室を備えた自動販売機の商品見本展示装置において、前記外扉の上部に装飾ユニットを着脱自在に取付け、当該装飾ユニットは少なくとも前記外扉の前面に位置して商品展示室にまで延在する装飾部材を備えてなることにより、外扉に画成された商品展示室を装飾部材の領域まで拡大することができ、従来においては外扉に画成された商品展示室内に設けていた広告文字，図柄，ロゴタイプなどの表示媒体を装飾部材に移動させることが可能となり、この場合、装飾部材は専ら広告文字，図柄，ロゴタイプなどの表示媒体に使用できることから商品展示室内に設けていた表示媒体よりも格段に大きく表示することができるので絶大な宣伝効果を得ることができるという効果を有する。
【００１１】
また、本発明の請求項１に係る発明は、商品展示室にまで延在された装飾部材は商品展示室に施された彩色と同一の彩色が施されていることにより、外扉に画成された商品展示室と装飾部材の色彩が同一であるので商品展示室が宛ら装飾部材にまで拡大された印象を与えることができるという効果を有する。
【００１２】
また、本発明の請求項２に係る発明は、請求項１記載の自動販売機において、外扉には立体のリボンを有し、装飾ユニットには前記リボンに連続する立体のリボン部材を備え、当該リボン部材は外扉のリボンに施された色彩と同一の色彩が施されているにより、外扉に敷設した立体のリボンを延長させて表示させることができ、三次元的に浮き出すような印象を与えるリボンをより一層際立たせることが可能となり、他の自動販売機との差別化を図ることができるという効果を有する。
【００１３】
さらに、請求項３に係る発明は、請求項１に記載の自動販売機において、装飾ユニットは外扉の商品展示室まで延在する延在部を有するシート状の装飾部材、外扉の上部に着脱自在に取付けられるベース部材および押え部材からなり、前記ベース部材および押え部材により装飾部材を挟持してなることにより、少ない部品点数により装飾ユニットを構成することができるとともに装飾ユニットの装着および装飾部材の交換を容易に行うことができるという効果を有する。
【図面の簡単な説明】
【００１４】
【図１】本発明の実施の形態１である自動販売機を示し、（ａ）はその全体構成を示す正面図、（ｂ）は（ａ）の自動販売機の外扉、および中扉を開放した状態を示す斜視図である。
【図２】図１の外扉の上部に敷設された装飾ユニットを示し、（ａ）は装飾ユニットを敷設した状態の前面側斜視図、（ｂ）は（ａ）の装飾ユニットを分解して示す前面側斜視図である。
【図３】図２の外扉を背面側から見た図を示し、（ａ）は装飾ユニットを敷設した状態の斜視図、（ｂ）は装飾ユニットを取り外した状態の斜視図である。
【図４】図１の商品展示台を構成する取付基台を示し、（ａ）はその正面側から見た斜視図、（ｂ）はその背面側から見た斜視図である。
【図５】図４の取付基台に装着されるホルダーを示し、（ａ）はその正面側から見た斜視図、（ｂ）はその背面側から見た斜視図である。
【図６】ホルダーを取付基台に装着した状態を示す斜視図である。
【図７】図１の販売促進用表示体を示す斜視図である。
【図８】図７の販売促進用表示体と取付け方向が異なる販売促進用表示体を示す斜視図である。
【図９】図７および図８のそれぞれの販売促進用表示体を、商品展示台を構成する取付基台に取付けた状態を示す斜視図である。
【図１０】図１の照明光源としての発光ダイオードモジュールを示す斜視図である。
【図１１】発光ダイオードモジュールのパネル押え部材への組付け状態を示す斜視図である。
【図１２】本発明の実施の形態２である自動販売機の主要部を示し、（ａ）はその外扉の上部に敷設された装飾ユニットの斜視図、（ｂ）は（ａ）の装飾ユニットの分解斜視図である。
【図１３】図１２の（ｂ）の分解した装飾ユニットの右端側を背面側から見た分解斜視図である。
【図１４】図１３の装飾ユニットを外扉の上部への組付け手順を示し、（ａ）はベース部材の組付け状態を表し、（ｂ）は装飾部材の組付け状態を表し、（ｃ）は押え部材の組付け状態を表す図である。
【発明を実施するための形態】
【００１５】
以下、本発明における実施の形態である自動販売機を図面に基づいて説明する。
（実施例１）
図１は本発明の実施の形態１である自動販売機の全体構成を示す。図において、１は前面が開放した断熱筐体として形成され、標準の外形寸法からなる本体キャビネットである。この本体キャビネット１の庫内は不図示の断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。そして、本体キャビネット１の前面開口は片開き式の断熱内扉３により閉塞されている。
【００１６】
前記本体キャビネット１の前面には不図示のヒンジ機構により開閉自在な片開き式の態様であって標準の外形寸法からなる外扉２が設けられ、この外扉２の前面の上部域には商品展示室５が設けられている。この商品展示室５は下方から上方に末広がりとなるようにデザインされており、その前面側が透明パネル６で覆われ、背面側が中扉４により覆われている。前記透明パネル６の上下左右の周縁はその裏面側に配設された上下左右のパネル押え部材２１〜２４（図１の（ｂ）参照）により保持され、これらのパネル押え部材２１〜２４が商品展示室５の周囲の側壁を形成するため白色塗装が施されている。詳細については後述するが、商品展示室５内には上下方向に複数段、この実施の形態では４段の商品展示台を構成する取付基台３０が外扉２に回動自在に配設されている。この取付基台３０には商品見本８を個別に保持するホルダー４０が装着され、前記取付基台３０とホルダー４０とにより商品展示台が構成される。また、前記取付基台３０には新発売の商品、若しくはキャンペーン期間中のおすすめ商品などを表示する販売促進用表示体５０が取付けられている。そして、前記ホルダー４０に保持された商品見本８に対応して透明パネル６の前面には商品選択ボタン１０が配設されている。なお、前記上側のパネル押え部材２１には照明光源７０（後述する発光ダイオードモジュールからなる）が配設されている。
【００１７】
前記商品展示室５の背面壁を形成する中扉４は左端側をヒンジ（不図示）により外扉２に開閉自在に取付けられている。この中扉４は上部領域が外扉２外形形状に対応する四角形状に形成されるとともに下部領域が商品展示室５の外形形状と一致する形状に形成され、その周囲を補強のために折り曲げられた薄板板金からなり、その表面には白色塗装が施されている。前記中扉４におけるヒンジとは反対側の端部にフックを有する係止片４０１とスライド片４０２が設けられ、前記係止片４０１が外扉２の扉枠に設けた係合ピン２０１に係合し、前記スライド片４０２がパネル押え部材２４の背面に設けた係合金具２０２に係合することによって中扉４が外扉２に係止されるように構成されている。
【００１８】
前記外扉２の略中央部における正面視右側領域には接客部７が設けられ、この接客部７には硬貨投入口７１、紙幣挿入口７４、返却レバー７３、投入金額，庫内温度，販売中，準備中等の各種情報をディスプレイに表示する販売情報表示部７２が組付けられている。また、外扉２における高さ方向略中央であって右端側（反ヒンジ機構側）にはシリンダー錠付きの主ロック装置９が設けられ、前記外扉２における下部領域には硬貨返却口２ａ、商品販売口２ｂが設けられている。そしてまた、外扉２の正面視右側領域には外扉２の下端から上端まで曲線により連続するとともに上下端部側の幅が広く中央付近の幅が狭い合成樹脂製のリボン１１が敷設され、このリボン１１は外扉２の表面（前面）に対して前方側に突出する態様であたかも三次元的に浮き出ているような印象を与えるように構成されている。なお、図１の（ｂ）における符号７５は硬貨投入口７１から投入された硬貨の真偽を識別する硬貨識別装置（不図示）、紙幣挿入口７４から挿入された紙幣を識別する紙幣識別装置（不図示）を覆う防盗カバーである。
【００１９】
標準の外形寸法からなる前記外扉２の上部にはモジュール部品としての装飾ユニット６０が着脱自在に敷設されており、その装着状態および取り外し状態を図２および図３に示している。この装飾ユニット６０は図２の（ｂ）に示すように、外扉２の扉枠２０に固定される外扉２の横幅に一致した幅を有する基台６１と、前記外扉２の前面に位置して商品展示室５にまで延在する装飾部材６２と、外扉２の前面に敷設したリボン１１に対応するリボン部材６３とからなる。前記基台６１は上縁が湾曲するとともにその周縁を後方に折り曲げて薄い箱型形状に形成した薄板鋼板製の本体部材６１１（図３参照）と、本体部材６１１の後方側開口を閉塞する補強部材６１２（図３参照）とからなる。また、前記装飾部材６２は上縁が基台６１と同様に湾曲した薄板鋼板製になり、その幅は商品展示室５に対応し、上方に向けて末広がりの商品展示室５に一致させて末広がりに形成されている。さらに、前記リボン部材６３はリボン１１と同一の合成樹脂材料により形成され、外扉２の前面に敷設したリボン１１の延長軌跡に一致する略台形状に形成されている。前記装飾ユニット６０のモジュール部材としての組立は、基台６１の本体部材６１１の後方側の開口を閉塞するように補強部材６１２を組付けた上で、基台６１の前面側の所定位置に装飾部材６２およびリボン部材６３を組付けて完了する。
【００２０】
前記モジュール部品としての装飾ユニット６０の外扉２への組付は次のとおりである。なお、自動販売機は標準品として形成されたものであるが、図２の（ｂ）および図３の（ｂ）に示すように、外扉２の扉枠２０には左右一対の係止金具２００が追加装備されている。この係止金具２００は略Ｚ字状に形成され、その一辺を扉枠２０にねじにより固着することにより他片が扉枠２０より離隔する態様で取付けられている。また、基台６１の底面（本体部材６１１の下縁）には前記係止金具２００に対応して当該係止金具２００と係合する係合穴（不図示）が形成されている。したがって、装飾ユニット６０の外扉２への組付の際、すなわち、装飾ユニット６０を扉枠２０の上部に載置する際、基台６１の底面に形成した係合穴に係止金具２００における扉枠２０から離隔した他片を嵌め込んで係合させたうえで基台６１の補強部材６１２と扉枠２０に跨る略Ｚ字状の固定金具６４（図３参照）をねじ止めする。これにより装飾ユニット６０が外扉２の上部に敷設され、この場合、係止金具２００と基台６１の係合穴との係合により装飾ユニット６０の背面側への傾倒を防止することができる。
【００２１】
ここで、装飾ユニット６０の装飾部材６２の表面（前面）には商品展示室５の背面を形成する中扉４と同様に白色塗装が施されているものである。このように、商品展示室５の色彩と装飾部材６２の色彩が同一であって、かつ、装飾部材６２が外扉２に画成された商品展示室５の上端にまで延在していることによって宛ら商品展示室５が拡大された印象を与えることができる。すなわち、装飾ユニット６０の装飾部材６２と商品展示室５の色彩が同一であった場合にも装飾部材６２が商品展示室５の上端まで延在していない場合には外扉２に画成された商品展示室５と装飾部材６２との間が外扉２（商品展示室５の周囲のフレームであって商品展示室５の色彩とは異なる色彩が施されている）により区切られることから装飾部材６２を商品展示室５の一部として印象付けることができない。かかる点、装飾部材６２の色彩を商品展示室５に施された色彩と同一とし、かつ、装飾部材６２を商品展示室５にまで延在させたことによって前述したように外扉２に画成された商品展示室５が装飾部材６２の領域まで拡大したような印象を与えることができる。したがって、従来においては外扉２に画成された商品展示室５内に設けていた広告文字，図柄，ロゴタイプなどの表示媒体を装飾部材６２に移動させることができる。この場合、装飾部材６２は専ら広告文字，図柄，ロゴタイプなどの表示媒体に使用できることから商品展示室５内に設けていた表示媒体よりも格段に大きく表示することができるので絶大な宣伝効果を得ることが可能となり、また、外扉２に画成された商品展示室５は広告文字，図柄，ロゴタイプなどの表示媒体の制約を受けることなく専ら商品見本８の展示に使用することができるものである。
【００２２】
また、装飾部材６０のリボン部材６３は外扉２に敷設したリボン１１と同一の材料・色彩からなるものであることからリボン１１と一体である印象、つまり、リボン１１を延長させて表示させることができる。したがって、曲線模様であって三次元的に浮き出すような印象を与えるリボン１１をより一層際立たせることが可能となり、他の自動販売機との差別化を図ることができる。なお、基台６１の前面を臨む面には外扉２の表面の塗装色と同一の色により塗装されているものである。
【００２３】
さて、商品展示室５内に上下方向に複数段、この実施の形態では上下方向に４段配設される取付基台３０を図４に示している。図に示すように取付基台３０は左右方向に細長い薄板鋼板からなり、その前面板部３１の上下端縁を後方側に適宜折り曲げて上部脚片３２，下部脚片３３を備えた縦断面略「コ」字状に形成されてなり、中扉４と同様に白色塗装が施されている。前記前面板部３１を左右方向に延在してなる取付基台３０の左右両端は補強のために横断面が階段状となるよう折り曲げられ、その一端、図では正面視左端には蝶番９０の一片が固着され、その他端にはフック３４が形成されている。前記前面板部３１には左右方向に複数の窓穴３１１が等ピッチで開口されるとともに当該窓穴３１１の下部にそれぞれ係合穴３１２が形成されている。また、前記前面板部３１と上部脚片３２との接続部である稜線上には前記窓穴３１１に対して左右対称位置に一対の嵌合穴３１３，３１３が形成されている。さらに、上部脚片３２および下部脚片３３は互いに外方（上方、下方）を向く縦断面略「く」字状に折り曲げられており、それぞれ「く」字状に折り曲げられた上部脚片３２および下部脚片３３の峰には前記窓穴３１１に対応して左右一対の係止穴３２１および係止穴３３１（図４の（ｂ）参照）が形成されている。
前述したように、取付基台３０の一端（図では正面視左端）には蝶番９０の一片が固着されている。この蝶番９０の他片は図１に示した外扉２における商品展示室５の側壁を形成する上下左右のパネル押え部材２１〜２４のうち、左側のパネル押え部材２３に固着される。これにより前記取付基台３０が蝶番９０を支点として透明パネル６に接近・離隔する態様で外扉２に回動自在に軸支される。また、前記取付基台３０の他端に形成されたフック３４は商品展示室５の側壁を形成する右側のパネル押え部材２４に植設した係合ピン（不図示）に係止されるように構成されている。
【００２４】
前記取付基台３０に着脱自在に装着されるホルダー４０は透明な合成樹脂により形成され、図５に示すように、水平面をなす商品見本載置部４１とこの商品見本載置部４１の後端から下方に延在する固着部４２からなる。前記商品見本載置部４１には商品見本８（の嵌合部）を嵌め込んで固定する嵌合穴４１１が形成されている。また、固着部４２の上方側の左右両端には後方に突出するように形成されたフック片４２１，４２１と、左右の切欠きにより撓み易く形成された係止爪４２２を備えている。前記フック片４２１，４２１は取付基台３０の嵌合穴３１３，３１３に対応して当該嵌合穴３１３，３１３を貫通するとともに取付基台３０を構成する薄板板金の厚み分だけ固着部４２の面から後方に突出するように形成されている。そして、前記係止爪４２２は前記取付基台３０の窓穴３１１を貫通するとともに前記取付基台３０を構成する薄板板金の厚み分だけ固着部４２の面から後方に突出するように形成され、係止爪４２２の自由端に形成した鉤４２３は前方を向くように形成されている。
【００２５】
前記ホルダー４０を取付基台３０に装着した状態を図６に示している。図に示すようにホルダー４０は取付基台３０の前方側から装着される。すなわち、ホルダー４０の固着部４２における係止爪４２２と、左右一対のフック片４２１，４２１を取付基台３０の窓穴３１１と嵌合穴３１３，３１３に同時に貫通させたうえでホルダー４０を下方にスライドさせる。この場合、係止爪４２２の鉤４２３が窓穴３１１を形成する下縁に当接するが、係止爪４２２が可撓性を有することから係止爪４２２の撓みによって鉤４２３が窓穴３１１の下縁を乗り越え、当該鉤４２３が取付基台３０の前面板部３１の背壁を摺動しながら下降する。ホルダー４０を下方にスライドさせるとホルダー４０のフック片４２１，４２１が取付基台３０の嵌合穴３１３，３１３の縁部に係合するようになる一方、係止爪４２２の鉤４２３が取付基台３０の係合穴３１２に接近する。さらにホルダー４０を下方にスライドさせて前記係止爪４２２の鉤４２３が係合穴３１２に達すると前記係止片４２２の復元力により鉤４２３が係合穴３１２に嵌まり込む。このようにしてホルダー４０を取付基台３０に装着すると、係合穴３１２に嵌まり込んだ係止爪４２２の鉤４２３によりホルダー４０の上下方向の抜け止めとなる一方、嵌合穴３１３，３１３に嵌まり込んだフック片４２１，４２１によりホルダー４０の前方への傾倒が防止される。このように、取付基台３０に装着されたホルダー４０における商品見本載置部４１の嵌合穴４１１に商品見本８（図１参照）が取付けられる。前記商品見本８はこの実施の形態１においてペットボトル入り飲料の容器形状または缶入り飲料の容器形状の周囲にそれぞれの飲料の意匠を施した薄肉の合成樹脂成形品の本体部の底部に嵌合部が形成されてなり、商品見本８の嵌合部を前記嵌合穴４１１に嵌合させて取付けられるが、この取付け方法については周知であるのでここでは詳細な説明は省略する。
【００２６】
前記取付基台３０に着脱自在に装着される販売促進用表示体５０は透明な硬質の合成樹脂からなり、図７に示すように、本体部５１と、この本体部５１と下方で連結されるとともに前記本体部５１と前後に重ね合わせるように形成された挟持部５２とからなる縦断面がヘアピン形状で正面視矩形状をなしている。また、前記本体部５１の上縁には左右一対のフック５３，５３が突設され、これらのフック５３，５３は互いに逆方向を向くように形成されている。この左右一対のフック５３，５３は取付基台３０における下部脚片３３における「く」字状の峰に形成したところの、窓穴３１１に対応して設けた左右一対の係止穴３３１，３３１を貫通する大きさであって、そのフック５３，５３の間のピッチは前記係止穴３３１，３３１のピッチに一致し、そのフック５３，５３の基部（本体部５１から立ち上がる部分）における外側端縁間の寸法が係止穴３３１，３３１の両端間の寸法に一致、つまり、フック５３，５３を係止穴３３１，３３１に対峙させた場合にフック５３，５３の鉤が係止穴３３１，３３１よりも外側に位置するように形成されている。前記左右一対の係止穴３３１，３３１が販売促進用表示体５０のフック５３，５３と係合する係合部を構成している。
【００２７】
前記販売促進用表示体５０の本体部５１と挟持部５２の間には、新発売の商品の表示、或いはキャンペーン期間の表示などが表示されたポスター（不図示）がその表示面を前方（本体部５１側）にして挿入される。この場合、挟持片５２を本体部５１から離隔するように引き離して両者間に隙間を形成することによりポスターを挿入することができる。そして、ポスターを挿入した後に挟持部５２に加えた外力を解除すると挟持部５２が復元して本体部５１との間にポスターを挟持固定する。このようにしてポスターを挟持固定した販売促進用表示体５０を取付基台３０に取付けた状態を図９に示す。この場合、販売促進用表示体５０は取付基台３０における下部脚片３３に取付けられる。この取付けにあたって、販売促進用表示体５０におけるフック５３，５３の鉤が下部脚片３３の係止穴３３１，３３１よりも外側に位置するように形成されているので、そのままでは装着することができない。そこで、販売促進用表示体５０の可撓性を利用し、その左右両端を摘んで弓状に湾曲させることによりフック５３，５３を互いに接近させたうえでそれぞれの係止穴３３１，３３１に嵌め込む。そして、フック５３，５３の鉤が係止穴３３１，３３１を貫通した状態で販売促進用表示体５０に加えた外力を解除すると販売促進用表示体５０が復元してフック５３，５３が係止穴３３１，３３１に係合し、これにより販売促進用表示体５０が取付基台３０の下部脚片３３に垂下状態で装着される。
【００２８】
前記販売促進用表示体５０は取付基台３０における下部脚片３３に係合して垂下する態様で装着されるものであるのに対し、取付基台３０における上部脚片３２に係合して起立する態様で装着される販売促進用表示体５００を図８に示している。この販売促進用表示体５００も透明な硬質の合成樹脂製になり、図に示すようにこの販売促進用表示体５００の本体部５０１および挟持部５０２は前記販売促進用表示体５０の本体部５１および挟持部５２と同一であり、前記販売促進用表示体５０との相違点は、本体部５０１の上方からヘアピン状に折り返した固定部５０３を設けた点である。なお、固定部５０３の下縁には左右一対のフック５０４，５０４が突設され、これらにフック５０４，５０４は互いに逆方向を向くように形成されている。また、このフック５０４，５０４は取付基台３０における上部脚片３２における「く」字状の峰に形成したところの、窓穴３１１に対応して設けた左右一対の係止穴３２１，３２１のピッチに一致するように形成されている。前記左右一対の係止穴３２１，３２１が販売促進用表示体５００のフック５０４，５０４と係合する係合部を構成している。
【００２９】
この販売促進用表示体５００へのポスターの挿入方法は販売促進用表示体５０と同一であり、また、販売促進用表示体５００の取付基台３０の上部脚片３２への装着方法も販売促進用表示体５０の下部脚片３３への装着方法と同一であるので、ここでは説明を省略する。なお、販売促進用表示体５００は図９に示すように取付基台３０の上部脚片３２に起立状態で装着される。
【００３０】
前記商品展示室５の周壁を構成する上下左右のパネル押え部材２１〜２４（図１の（ｂ）参照）のうち、上側のパネル押え部材２１に配設される照明光源７０を図１０に示す。この実施の形態における照明光源は発光ダイオードモジュール７０で構成されている。図に示すように前記発光ダイオードモジュール７０は遮光材からなる短冊状の台座７１と、拡散用レンズ７２と、取付金具７３と、配線接続用コネクタ７４からなる。前記台座７１には複数の発光ダイオード素子（不図示）を実装した回路基板が配設されており、当該回路基板に接続された配線接続用コネクタ７４は拡散用レンズ７２を貫通して引き出されている。前記発光ダイオードモジュール７０の取付金具７３の左右両端部はねじ固定部として形成されており、その一方の端部のねじ固定部には寸法誤差を吸収するために開放したねじ挿通穴として形成されている。
前述した発光ダイードモジュール７０は図１に示した商品展示室５の周囲の側壁を形成する上側のパネル押え部材２１に取付けられ、当該パネル押え部材２１へ発光ダイードモジュール７０を組付けた状態を図１１に示す。図に示すように、上側のパネル押え部材２１には発光ダイードモジュール７０がその取付金具７３（図９参照）の左右両端部のねじ固定部を介してねじにより固着されており、発光ダイードモジュール７０が商品展示室５に露出するように組付けられている。この場合、上側のパネル押え部材２１には３個の発光ダイードモジュール７０が取付けられ、それぞれ配線接続用コネクタ７４を介して直列接続されている。このように、発光ダイオードモジュール７０を上側のパネル押え部材２１に配設した状態で自動販売機に通電すると光ダイオードモジュール７０から照射される照明光により商品展示室５内が明るく照明される。
【００３１】
前述したように、標準の自動販売機における外扉２の上部に装飾ユニット６０を敷設し、また、外扉２の商品展示室５内に上下方向に複数配設される取付基台３０を透明パネル６に接近・離隔する態様で外扉２に個別に回動自在に取付け、前記取付基台３０に装着したホルダー４０に商品見本８を取付けた一例を図１に示している。
図に示すように、標準の自動販売機における外扉２の上部に装飾ユニット６０を敷設した場合、装飾ユニット６０における装飾部材６２（図２参照）が外扉２に画成された商品展示室５の上端まで延在し、かつ、その色彩を商品展示室５の色彩と同一としたことによって商品展示室５が装飾部材６２の領域まで拡大したような印象を与えることができる。そして、前記装飾部材６２は専ら広告文字，図柄，ロゴタイプなどの表示媒体の表示場所として使用することができる。したがって、従来においては商品展示室５内に商品見本８の制約を受けながら設けていた表示媒体の表示に対して格段に大きく表示することができるので絶大な宣伝効果を得ることが可能となり、また、外扉２に画成された商品展示室５は広告文字，図柄，ロゴタイプなどの表示媒体の制約を受けることなく専ら商品見本８の展示に使用することができるものである。さらに、装飾ユニット６０のリボン部材６３（図２参照）は外扉２に敷設したリボン１１と同一の材料・色彩からなるものであることからリボン１１と一体である印象、つまり、リボン１１を延長させて表示させることができる。したがって、曲線模様であって三次元的に浮き出すような印象を与えるリボン１１をより一層際立たせることが可能となり、他の自動販売機との差別化を図ることができる。
なお、装飾ユニット６０は現地（設置場所）において固定金具６４のねじを弛緩させることによって自動販売機（外扉２）から取り外すことができるので、仮に現地において高さ規制がある場合には装飾ユニット６０を除去することもできる。さらに、標準の自動販売機を設置した後、他の自動販売機との差別化を図りたい場合には装飾ユニット６０を後付することもできるものである。
【００３２】
また、前記商品展示室５の清掃作業を行う場合、商品展示室５内に上下方向に複数配設される取付基台３０は透明パネル６に接近・離隔する態様で外扉２に個別に回動自在に取付けられていることから、商品展示室５の背面を形成する中扉４の前面（表面）には拭き取り作業の邪魔となるものが存在しないのでその拭き取り作業を簡単かつ迅速に行うことができる。ここで、商品展示室５の前面を形成する透明パネル６（の裏面）を清掃する場合には、取付基台３０を透明パネル６から離隔させれば透明パネル６の拭き取り作業を容易に行うことができる。なお、前述したように中扉４の前面（表面）には取付基台３０が存在しないことからその表面全域に亘る一枚の大きなポスターを貼着することができるので、この点においても大きな宣伝効果を得ることができるものである。
【００３３】
さらに、取付基台３０に装着されたホルダー４０への商品見本８の取り付け、若しくは交換する場合には取付基台３０が透明パネル６に接近した状態、つまり、取付基台３０のフック３４（図４参照）を商品展示室５の側壁を形成する右側のパネル押え部材２４に植設した係合ピン（不図示）に係止させたままの状態で、その背面側からホルダー４０に商品見本８を取り付けることができるので、従来のように中扉に商品展示台を取付けていたものと遜色なく商品見本８の取付け、若しくは交換作業を行うことができるうえ、商品見本８が飲料容器を鉛直方向に切断した半割り形状である場合には寧ろ作業時間を短縮できる。これは、半割り形状の商品見本８をホルダー４０に取付ける場合、半割りされた左右両端を内側に萎ませつつホルダー４０の嵌合穴４１１（図５参照）に嵌合させることになるが、前方側から商品見本８を取付ける際には後方側を視認することができないことから必要以上に商品見本８を萎ませる結果、商品見本８が破損するおそれがある。これを避けるために商品見本８の萎ませる量を手加減しながら慎重に行わねばならならず、熟練を要するものである。かかる点、取付基台３０の後方側からホルダー４０に商品見本８を取付ける場合には商品見本８の後方側を視認することができるので、半割りされた商品見本８の左右両端を適切に萎ませながら取付けることができ、熟練者でなくとも容易に取付けることが可能となる。
【００３４】
また、取付基台３０には、当該取付基台３０に装着されたホルダー４０に取付けて展示される商品見本８に対応して販売促進用表示体５０（５００）と係合する複数の係止穴３３１，３２１を有することから、新発売の商品の表示、或いはキャンペーン期間の表示を行う販売促進用表示体５０（５００）を取付基台３０の任意の位置に配設することができる。言い換えれば、新発売の商品見本８を取付基台３０の任意に位置に展示した場合にも当該商品見本８の近傍に販売促進用表示体５０（５００）を配設することができるので、商品見本８の展示位置が制約されないという効果を有する。
なお、上述した実施の形態１において装飾ユニット６０は基台６１および装飾部材６２をそれぞれ個別の部品とし、また、基台６１は強固なものとするために本体部材６１１と補強部材６１２により構成したものについて説明したが、これに限るものではなく一枚の薄板鋼板を適宜折り曲げて基台と装飾部材を一体に形成することもできる。
また、商品展示台を取付基台３０とホルダー４０との２部品に分割したものについて説明したが、これらが一体に形成されているものでもよく、取付基台３０に着脱自在に装着されるホルダー４０の材料も透明な合成樹脂に限られるものではない。さらに、ホルダー４０には商品見本載置部４１に加えて、商品価格（例えば、￥１２０），冷温状態（例えば、寒色の背景色に白抜きの「ＣＯＬＤ」、若しくは暖色の背景色に白抜きの「ＨＯＴ」）が表示された商品情報表示体を保持して掲示する掲示部を設けることもできるものである。
【００３５】
さらにまた、販売促進用表示体５０，５００は個別の商品見本８に対応した大きさのもの限らず、複数の商品見本８に跨って、若しくは取付基台３０に展示された全ての商品見本８に跨るような大きさとすることもできるものである。
（実施例２）
本発明の実施の形態２である自動販売機を図１２乃至図１４を用いて説明する。図において図１に示した実施の形態１の自動販売機と同一のものには同一の符号を付して詳細な説明は省略する。なお、図１２乃至図１４では本発明の主要部である外扉の上部に敷設された装飾ユニット部分を示している。
【００３６】
図１２乃至図１４に示す実施の形態２の自動販売機が実施の形態１の自動販売機と相違する点は、実施の形態１の自動販売機における装飾ユニット６０に変えて装飾ユニット８０を用いた点であり、その他の構成は実施の形態１の自動販売機と同一である。前記装飾ユニット８０は薄いシート状の装飾部材８１と、装飾部材８１を挟持するベース部材８２および押え部材８３からなる。なお、ベース部材８２および押え部材８３の形状は略左右対称であるので、図１３、図１４では左右の一方（図では正面視右端側）を代表して示している。
【００３７】
前記装飾ユニット８０を構成する装飾部材８１は上縁が湾曲した合成樹脂製になり、商品展示室５にまで延在する延在部８１１、この延在部８１１の上方領域の中央輪郭部８１２、この中央輪郭部８１２を挟む右側輪郭部８１３および左側輪郭部８１４を有する。前記延在部８１１の幅は商品展示室５の幅に一致し、この延在部８１１を含めて延在部８１１の上方領域の中央輪郭部８１２には、商品展示室５の背面を形成する中扉４（図１の（ｂ）参照）と同様に白色塗装が施されている。この場合、装飾部材８１の白色塗装領域は、上方に向けて末広がりの商品展示室５に一致させて末広がりに形成されている。また、装飾部材８１の右側輪郭部８１３および左側輪郭部８１４は外扉２の表面の塗装と同色（例えば、青色）の塗装が施されているとともに右側輪郭部８１３には外扉２に設けたリボン１１の延長軌跡に対応する部分にリボン１１と同色の色彩が施されている。なお、右側輪郭部８１３および左側輪郭部８１４のそれぞれの上辺は湾曲しているのに対し、その下辺はそれぞれ直線として形成され、それらの下辺を結ぶ線は水平線をなすものである。
【００３８】
前記装飾ユニット８０を構成するベース部材８２は短冊状の細長い板金製になり、左右の保持部８２１，８２１と、これらを連結する連結部８２２とからなる。前記左右の保持部８２１，８２１と連結部８２２とは接続片８２３（図１３に示す。なお、図１３では一方の接続片のみを示している）により前後方向に所定の間隔をおいて位置するように形成され、前記接続片８２３部分を含む縦断面がコ字状をなしている。前記左右の保持部８２１，８２１と連結部８２２とを接続する左右の接続片８２３，８２３の間の間隔は前記装飾部材８１の延在部８１１の幅よりも僅かに大きい寸法に定められ、左右の接続片８２３，８２３の間に前記装飾部材８１の延在部８１１を嵌め込むことができる。また、左右の保持部８２１，８２１のそれぞれの長さは前記装飾部材８１の左側輪郭部８１４、および右側輪郭部８１３の長さに略一致しており、前記左右の保持部８２１，８２１のそれぞれ反対側端縁は、外扉２の外郭に一致するように、後方に向けて折り曲げられている。前記左右の保持部８２１，８２１を連結する連結部８２２の左右端部側には略Ｚ字状の取付金具８４，８４をねじ止めするためのねじ穴８２２１，８２２１、および後述する押え部材８３をねじ止めするためのねじ穴８２２２，８２２２がそれぞれ設けられている。なお、前記ベース部材８２における左右の保持部８２１，８２１の前面には外扉２の表面の塗装と同色（例えば、青色）の塗装が施されているとともに外扉２に設けたリボン１１の延長軌跡に対応する部分にはリボン１１と同色の塗装が施されている。
【００３９】
前記装飾ユニット８０を構成する押え部材８３は縦断面コ字状の細長い板金製になり、コ字状の両脚片の間の間隔が前記ベース部材８２における前後方向に所定の間隔をおいて形成された左右の保持部８２１，８２１と連結部８２２の間の寸法と略同一の寸法に定められている。この押え部材８３はコ字状の開放面が上方を向くベース部材８２に次のように組み合わせて用いられる。すなわち、前記押え部材８３は下方を向くとともに両脚片が前記ベース部材８２における連結部８２２を跨ぐように、つまり、前記押え部材８３の両脚片と前記ベース部材８２における左右の保持部８２１，８２１、および連結部８２２とが互い違いに噛み合うように組み合わせて用いられる。なお、図１３に示すように、押え部材８３の後方側の脚片にはねじ穴８３１，８３１が形成されているとともに押え部材８３の左右端部側は前記Ｚ字状の取付金具８４，８４の取付けのために切欠かかれている。
【００４０】
次に、本発明の実施の形態２の自動販売機にかかる装飾ユニット８０の外扉２への組付けについて説明する。まず、図１４の（ａ）に示すように、ベース部材８２を外扉２の扉枠２０の上部に組付ける。これは、外扉２の扉枠２０にＺ字状の取付金具８４，８４をねじ止めした後、このＺ字状の取付金具８４，８４にベース部材８２における連結部８２２の背面（ねじ穴８２２１）が臨むように配置したうえでねじを螺合させることによりベース部材８２が扉枠２０に組付けられる。なお、自動販売機は標準品として形成されたものであるが、扉枠２０にはＺ字状の取付金具８４，８４をねじ止めするためのねじ穴が予め穿孔されているものであり、自動販売機の出荷時には前記ねじ穴はフィルムによりシールされている。前述したように扉枠２０に組付けられたベース部材８２における左右の保持部８２１，８２１の左右端縁が外扉２の左右側面に面一となる一方、左右の保持部８２１，８２１の前面が外扉２の表面よりも装飾部材８１の厚み分だけ前方に位置している。
【００４１】
次いで、図１４の（ｂ）に示すように、シート状の装飾部材８１をベース部材８２に組付けて仮置きする。これは、装飾部材８１の延在部８１１をベース部材８２の左右の接続片８２３，８２３の間に位置させるとともに当該延在部８１１を外扉２の表面に臨ませつつ装飾部材８１を下方にスライド移動させる。この場合、ベース部材８２の左右の保持部８２１，８２１の前面と外扉２の表面との間に装飾部材８１の厚み分の隙間が形成されているので、前述したように装飾部材８１を下方へスライド移動させると、装飾部材８１の左側輪郭部８１４および右側輪郭部８１３が左右の保持部８２１，８２１の背面側に潜り込む。このようにシート状の装飾部材８１をベース部材８２に組付けた状態ではシート状の装飾部材８１の左側輪郭部８１４および右側輪郭部８１３の下縁が左右の接続片８２３の上に載った状態で仮置きされる。
【００４２】
このようにベース部材８２に仮置きされたシート状の装飾部材８１の背後から押え部材８３を組付ける。すなわち、シート状の装飾部材８１の左側輪郭部８１４および右側輪郭部８１３をベース部材８２の左右の保持部８２１，８２１の背面に密着させた状態で、押え部材８３の両脚片がベース部材８２の連結部８２２を跨ぐように嵌め込む。そして、押え部材８３の一方の脚片（後方側の脚片）に形成したねじ穴８３１とベース部材８２の連結部８２２に形成したねじ穴８２２２を対峙させたうえでねじを螺合させて押え部材８３をベース部材８２にねじ止めすると、装飾部材８１がベース部材８２の左右の保持部８２１，８２１と押え部材８３の他方の脚片（前方側の脚片）とにより挟持された状態で外扉２の上部に敷設される。
【００４３】
この実施の形態２にかかる自動販売機の装飾ユニット８０は実施の形態１にかかる自動販売機の装飾ユニット６０と同様の効果を有する。すなわち、装飾部材８１の延在部８１１を含む中央輪郭部８１２の色彩を商品展示室５に施された色彩と同一とすることによって外扉２に画成された商品展示室５が装飾部材８１の領域まで拡大したような印象を与えることができる。したがって、従来においては外扉２に画成された商品展示室５内に設けていた広告文字，図柄，ロゴタイプなどの表示媒体を装飾部材８１に移動させることができる。この場合、装飾部材８１は専ら広告文字，図柄，ロゴタイプなどの表示媒体に使用できることから商品展示室５内に設けていた表示媒体よりも格段に大きく表示することができるので絶大な宣伝効果を得ることが可能となり、また、外扉２に画成された商品展示室５は広告文字，図柄，ロゴタイプなどの表示媒体の制約を受けることなく専ら商品見本８の展示に使用することができるものである。
【００４４】
なお、実施の形態２にかかる自動販売機の装飾ユニット８０においてはシート状の装飾部材８１を把持するためにベース部材８２と押え部材８３との２部品を用いたものについて説明したが、これに限るものではない。例えば、ベース部材８２における左右の保持部８２１，８２１を繋いで一つの保持部とし、この保持部の前面に装飾部材８１を両面テープ等により接着させることができ、この場合には押え部材８３が不要となる。
【００４５】
また、前述した各実施例の変形例として、装飾部材６２，８１を太陽電池パネルとすることができ、この場合には太陽電池パネルにより蓄電したエネルギーを自動販売機の制御電源として利用することができる。
【００４６】
前述したとおり本発明によれば、本体キャビネット１の前面を開閉する片開き式の外扉２を備え、前記外扉２に画成され、前面が透明パネル６により覆われた商品展示室５を備えた自動販売機において、前記外扉２の上部に装飾ユニット６０，８０を着脱自在に取付け、当該装飾ユニット６０，８０は少なくとも前記外扉２の前面に位置して商品展示室５にまで延在する装飾部材６２，８１を備えてなることにより、外扉２に画成された商品展示室５を装飾部材６２，８２の領域まで拡大することができ、従来においては外扉に画成された商品展示室内に設けていた広告文字，図柄，ロゴタイプなどの表示媒体を装飾部材６２，８１に移動させることが可能となり、この場合、装飾部材６２，８１は専ら広告文字，図柄，ロゴタイプなどの表示媒体に使用できることから商品展示室内に設けていた表示媒体よりも格段に大きく表示することができるので絶大な宣伝効果を得ることができるという効果を有する。また、現地（設置場所）において高さ規制がある場合には装飾ユニット６０，８０を装着せずに標準の自動販売機を設置し、さらに、標準の自動販売機（装飾ユニットが装着されていない自動販売機）を設置後に他の自動販売機との差別化を図りたい場合には装飾ユニット６０，８０を現地において後付することもできるものである。
【符号の説明】
【００４７】
１…本体キャビネット、２…外扉、４…中扉、５…商品展示室、６…透明パネル、８…商品見本、１０…商品選択ボタン、１１…リボン、２１，２２，２３，２４…パネル押え部材、３０…取付基台、３２…上部脚片、３３…下部脚片、４０…ホルダー、５０、５００…販売促進用表示体、６０、８０…装飾ユニット、６２、８１装飾部材、６３…リボン部材、８２…ベース部材、８３…押え部材、９０…蝶番、３２１，３３１…係止穴（係合部）、７０…発光ダイオードモジュール（照明光源）。 
【図１】
0005560952.tif 000002
【図２】
0005560952.tif 000003
【図３】
0005560952.tif 000004
【図４】
0005560952.tif 000005
【図５】
0005560952.tif 000006
【図６】
0005560952.tif 000007
【図７】
0005560952.tif 000008
【図８】
0005560952.tif 000009
【図９】
0005560952.tif 000010
【図１０】
0005560952.tif 000011
【図１１】
0005560952.tif 000012
【図１２】
0005560952.tif 000013
【図１３】
0005560952.tif 000014
【図１４】
0005560952.tif 000015